(57)【要約】装置はヘアクリップポケットを含む。ヘアクリップポケットは、ヘアクリップポケットの第１側に位置する第１ヘアクリップポケットパネルと、ヘアクリップポケットの対向第２側に位置して少なくとも一つのスリットを含む第２ヘアクリップポケットパネルと、第１ヘアクリップポケットパネルと第２ヘアクリップポケットパネルとの間に位置する隙間とを含む。ヘアクリップポケットは、ヘアクリップが少なくとも一つのスリットを通して隙間の中に選択的に挿入可能に構成される。その結果、ヘアクリップの一部がヘアクリップポケットによって拘束され、かつ、ヘアクリップの一部が少なくとも一つのスリットを通ってヘアクリップポケットの外側に延びる。
2015516520.tif 000002
【特許請求の範囲】
【請求項１】
装置であって、
ヘアクリップポケットを含み、
前記ヘアクリップポケットは、
前記ヘアクリップポケットの第１側に位置する第１ヘアクリップポケットパネルと、
前記ヘアクリップポケットの対向第２側に位置して少なくとも一つのスリットを含む第２ヘアクリップポケットパネルと、
前記第１ヘアクリップポケットパネルと前記第２クリップポケットパネルとの間に位置する隙間と
を含み、
前記ヘアクリップポケットは、ヘアクリップが少なくとも一つのスリットを通して前記隙間に選択的に挿入可能に構成され、その結果、前記ヘアクリップの一部が前記ヘアクリップポケットによって拘束され、かつ、前記ヘアクリップの一部が前記少なくとも一つのスリットを通って前記ヘアクリップポケットの外側に延びる装置。
【請求項２】
前記ヘアクリップポケットは細長く、かつ、複数のスリットを含み、
前記複数のスリットは、細長い前記ヘアクリップポケットの前記第２ヘアクリップポケットパネルに沿って直列に配列される請求項１の装置。
【請求項３】
裏地の縫い目を含む増毛具をさらに含み、
前記ヘアクリップポケットは前記増毛具の前記裏地の縫い目に取り付けられる請求項２の装置。
【請求項４】
前記増毛具は付け毛、ヘアピース又はかつらである請求項３の装置。
【請求項５】
前記複数のスリットは縫い目によって互いに分離される請求項２の装置。
【請求項６】
裏地の縫い目を含む増毛具をさらに含み、
複数の前記ヘアクリップポケットが前記増毛具の前記裏地の縫い目に取り付けられる請求項１の装置。
【請求項７】
前記増毛具は付け毛、ヘアピース又はかつらである請求項６の装置。
【請求項８】
前記少なくとも一つのスリットの長さは前記ヘアクリップポケットの長さ未満であり、その結果、前記ヘアクリップの一部が、前記少なくとも一つのスリットの縁と前記ヘアクリップポケットの縁との間において前記ヘアクリップポケットの一部によって拘束される請求項１の装置。
【請求項９】
前記ヘアクリップポケットは一片の縫われた伸縮性布材料から形成される請求項１の装置。
【請求項１０】
前記ヘアクリップポケットは一片の縫われたナイロン布を含む請求項１の装置。
【請求項１１】
前記ヘアクリップは、個人の毛髪が前記ヘアクリップの挟み付け部同士の間に挿入可能な開位置と、前記個人の毛髪が前記ヘアクリップの挟み付け部によって挟み付け可能な閉位置との間で選択的に構成可能であり、
前記ヘアクリップは、前記第２ヘアクリップポケットパネルの一部が前記ヘアクリップの挟み付け部同士の間に配置されるように前記隙間に挿入可能である請求項１の装置。
【請求項１２】
前記ヘアクリップの前記挟み付け部の少なくとも一つは複数の分岐尖端を含む請求項１１の装置。
【請求項１３】
前記ヘアクリップはプラスチック製である請求項１の装置。
【請求項１４】
前記ヘアクリップは前記ヘアクリップの横方向側部に孔を含まない請求項１の装置。
【請求項１５】
前記第２ヘアクリップポケットパネルは、前記ヘアクリップの一部と個人の毛髪との間に配置されるべく構成される請求項１の装置。
【請求項１６】
方法であって、
ヘアクリップを与えることと、
増毛具を与えることと、
前記増毛具に取り付けられたヘアクリップポケットを与えることと、
前記増毛具を個人の毛髪に前記ヘアクリップを使用して取り付けることと
を含み、
前記クリップポケットは、
前記ヘアクリップポケットの第１側に位置する第１ヘアクリップポケットパネルと、
前記ヘアクリップポケットの対向第２側に位置して少なくとも一つのスリットを含む第２ヘアクリップポケットパネルと、
前記第１ヘアクリップポケットパネルと前記第２ヘアクリップポケットパネルとの間に位置する隙間と
を含み、
前記ヘアクリップポケットは、ヘアクリップが少なくとも一つのスリットを通して前記隙間に選択的に挿入可能に構成され、その結果、前記ヘアクリップの一部が前記ヘアクリップポケットによって拘束され、かつ、前記ヘアクリップの一部が前記少なくとも一つのスリットを通って前記ヘアクリップポケットの外側に延びる方法。
【請求項１７】
前記ヘアクリップを前記ヘアクリップポケットに挿入することをさらに含む請求項１６の方法。
【請求項１８】
キットであって、
各増毛具に少なくとも一つのヘアクリップポケットが取り付けられた複数の増毛具を含み、
前記少なくとも一つのヘアクリップポケットは、
前記ヘアクリップポケットの第１側に位置する第１ヘアクリップポケットパネルと、
前記ヘアクリップポケットの対向第２側に位置して少なくとも一つのスリットを含む第２ヘアクリップポケットパネルと、
前記第１ヘアクリップポケットパネルと前記第２ヘアクリップポケットパネルとの間に位置する隙間と
を含み、
前記少なくとも一つのヘアクリップポケットは、ヘアクリップが少なくとも一つのスリットを通して前記隙間に選択的に挿入可能に構成され、その結果、前記ヘアクリップの一部が前記ヘアクリップポケットによって拘束され、かつ、前記ヘアクリップの一部が前記少なくとも一つのスリットを通って前記ヘアクリップポケットの外側に延びるキット。
【請求項１９】
前記ヘアクリップポケットの少なくとも一つは細長く、かつ、細長い前記ヘアクリップポケットの前記第２ヘアクリップポケットパネルに沿って直列に配列された複数のスリットを含む請求項１８のキット。
【請求項２０】
前記複数の増毛具は、第１幅を有する第１増毛具と前記第１幅とは異なる第２幅を有する第２増毛具とを含む請求項１８のキット。
【発明の詳細な説明】
【技術分野】
【０００１】
本発明は一般に増毛具製品の分野に関し、詳しくは増毛具を個人の毛髪に取り付ける装置及びその取り付けを行う方法に関する。
【０００２】
関連出願の相互参照
本願は、２０１２年５月１６日出願の米国仮特許出願第６１／６４７，６５６号に係る米国特許法第１１９条（ｅ）の利益を主張する。その内容は、全体が参照として本開示に組み入れられる。
【背景技術】
【０００３】
付け毛、ヘアピース及びかつらのような増毛具はファッション産業において一般的である。かかる増毛具は、望ましい長さまで伸びるのに長い時間がかかるという理由だけで、個人の毛の自然長を増すために使用される場合がある。増毛具はまた、脱毛を患う個人が地毛の外観を保つべく使用する。
【０００４】
典型的に増毛具は、いくつかの可能な方法の一つを使用して個人の地毛に取り付けられる。第１の方法は、液体接着剤又は両面テープを使用して増毛具を個人の地毛に取り付けることを含む。第２の方法は、個人の地毛を編み込んだ後にその編み込みに増毛具を縫い付けることを含む。第３の方法は、増毛具を個人の地毛に取り付けるヘアクリップを使用することを含む。
【０００５】
ヘアクリップは恐らく、増毛具を個人の毛髪に取り付ける方法として最も一般的である。しかしながら、かかるヘアクリップの使用にはいくつかの問題点がある。ヘアクリップは時々、増毛具の裏地の縫い目に手で縫い込む必要がある。この方法は煩わしい場合が多い。増毛具を使用する個人が、手によってヘアクリップを所望の位置に縫い込む必要があるからである。ヘアクリップが増毛具の裏地の縫い目にすでに縫い込まれた増毛具を購入することもできるが、その構成はいくつかの理由により不利となり得る。第１に、増毛具に堅固に縫い付けるのに十分な強度を有するように金属製ヘアクリップの使用が必要となる場合が多いことである。金属製ヘアクリップは、プラスチック製クリップと比べて大きく、重く、かつ装着不快である。さらに、金属製クリップの使用は、歩いて金属探知機を通り抜けるときに不便、かつ、きまりが悪い。第２に、ヘアクリップが、当該ヘアクリップを増毛具に縫い付ける目的でミシン目又は孔を含む必要があることである。これは、ヘアクリップのサイズ及び重量を増加させる。第３に、ヘアクリップが壊れた場合、壊れたヘアクリップを増毛具から取り出して新たなヘアクリップをその位置に縫い付けることが難しくなり得ることである。
【０００６】
したがって、改善された増毛具取り付け装置、及び増毛具を個人の地毛に取り付ける改善された方法が必要とされている。
【先行技術文献】
【特許文献】
【０００７】
【特許文献１】米国特許出願公開第２０１１／０２８４３９７（Ａ１）号明細書
【特許文献２】韓国登録実用新案第２０−０２４０７２５（Ｙ１）号公報
【特許文献３】米国特許第５，８１３，４１８号明細書
【特許文献４】米国特許出願公開第２００３／０１５４９９４（Ａ１）号明細書
【特許文献５】米国特許第７，８６１，７２９（Ｂ２）号明細書
【発明の概要】
【０００８】
一つの実施形態によれば、装置はヘアクリップポケットを含む。ヘアクリップポケットは、ヘアクリップポケットの第１側に位置する第１ヘアクリップポケットパネルと、ヘアクリップポケットの対向第２側に位置して少なくとも一つの少なくとも一つのスリットを含む第２ヘアクリップポケットパネルと、第１ヘアクリップポケットパネルと第２ヘアクリップポケットパネルとの間に位置する隙間とを含む。ヘアクリップポケットは、ヘアクリップが少なくとも一つのスリットを通して隙間の中に選択的に挿入可能に構成される。その結果、ヘアクリップの一部がヘアクリップポケットによって拘束され、かつ、ヘアクリップの一部が当該少なくとも一つのスリットを通って当該ヘアクリップポケットの外側に延びる。
【０００９】
もう一つの実施形態によれば、方法は、ヘアクリップを与えることと、増毛具を与えることと、当該増毛具に取り付けられるヘアクリップポケットを与えることと、当該増毛具を個人の毛髪に当該ヘアクリップを使用して取り付けることとを含む。ヘアクリップポケットは、ヘアクリップポケットの第１側に位置する第１ヘアクリップポケットパネルと、ヘアクリップポケットの対向第２側に位置して少なくとも一つのスリットを含む第２ヘアクリップポケットパネルと、第１ヘアクリップポケットパネルと第２ヘアクリップポケットパネルとの間に位置する隙間とを含む。ヘアクリップポケットは、ヘアクリップが少なくとも一つのスリットを通して隙間の中に選択的に挿入可能に構成される。その結果、ヘアクリップの一部がヘアクリップポケットによって拘束され、かつ、ヘアクリップの一部が当該少なくとも一つのスリットを通って当該ヘアクリップポケットの外側に延びる。
【００１０】
もう一つの実施形態によれば、キットは複数の増毛具を含む。各増毛具には複数のヘアクリップポケットが取り付けられる。各ヘアクリップポケットは、ヘアクリップポケットの第１側に位置する第１ヘアクリップポケットパネルと、ヘアクリップポケットの対向第２側に位置して少なくとも一つのスリットを含む第２ヘアクリップポケットパネルと、第１ヘアクリップポケットパネルと第２ヘアクリップポケットパネルとの間に位置する隙間とを含む。各ヘアクリップポケットは、ヘアクリップが少なくとも一つのスリットを通して隙間の中に選択的に挿入可能に構成される。その結果、ヘアクリップの一部がヘアクリップポケットによって拘束され、かつ、ヘアクリップの一部が当該少なくとも一つのスリットを通って当該ヘアクリップポケットの外側に延びる。
【図面の簡単な説明】
【００１１】
本明細書に組み入れられかつその一部をなす添付図面は、本発明の様々な実施形態を例示し、かつ、その説明とともに本発明の原理を説明する。
【００１２】
【図１Ａ】本発明の一つの実施形態に係るヘアクリップポケットの正面模式図である。
【図１Ｂ】図１Ａに描かれたヘアクリップポケットの背面模式図である。
【図２Ａ】本発明のもう一つの実施形態に係るヘアクリップポケットの正面模式図である。
【図２Ｂ】図２Ａに描かれたヘアクリップポケットの背面模式図である。
【図３】本発明の複数の実施形態において使用されるヘアクリップの一例を例示する。
【図４Ａ】ヘアクリップポケットの正面図である。ヘアクリップの分岐尖端が、ヘアクリップポケットの隙間からスリットを通って延びていることを示す。
【図４Ｂ】図４Ａに示されたヘアクリップポケット及びヘアクリップのＡ−Ａ線断面図である。ヘアクリップは開位置にある。
【図４Ｃ】図４Ａに示されたヘアクリップポケット及びヘアクリップのＡ−Ａ線断面図である。ヘアクリップは閉位置にある。
【図５Ａ】細長いヘアクリップポケットが取り付けられた付け毛の正面模式図である。
【図５Ｂ】細長いヘアクリップポケットが取り付けられた付け毛の正面平面図である。細長いヘアクリップポケットのスリットが縫い目によって分離されている。
【図６Ａ】細長いヘアクリップポケットが取り付けられたヘアピースの正面平面図である。
【図６Ｂ】細長いヘアクリップポケットが取り付けられたヘアピースの正面平面図である。細長いヘアクリップポケットのスリットが縫い目によって分離されている。
【図７】ヘアクリップポケットが取り付けられたヘアピースを例示する。ヘアピースは個人の頭部に取り付けられている。
【図８】ヘアクリップポケットが取り付けられたかつらを例示する。かつらは個人の頭部に取り付けられている。
【発明を実施するための形態】
【００１３】
本開示の複数の実施形態が、添付図面を参照して以下に説明される。理解すべきことだが、以下の説明は典型的な複数の実施形態を説明することを意図しており、特許請求の範囲の主題を制限することを意図しない。可能な限り、同一又は類似の部分を参照するべく同じ参照番号が図面全体を通して使用される。
【００１４】
１．ヘアクリップポケット
【００１５】
図１Ａ及び１Ｂに描かれる本発明の一つの実施形態において、ヘアクリップポケット１０が与えられる。図１Ａは、本発明の一実施形態に係るヘアクリップポケットの正面模式図である。図１Ｂは、図１Ａに描かれたヘアクリップポケット１０の背面模式図である。ヘアクリップポケット１０は、図１Ａに示される正面ヘアクリップポケットパネル４０と、図１Ｂに示される背面ヘアクリップポケット６０とを含む。正面ヘアクリップポケットパネル４０及び背面ヘアクリップポケットパネル６０は、正面ヘアクリップポケットパネル４０と背面ヘアクリップポケットパネル６０との間に、例えば図４Ｂ及び４Ｃに示されるような隙間１３０を形成する。少なくとも一つのスリット５０は、正面ヘアクリップポケットパネル４０に設けられる。スリット５０の長さは、スリット５０が延びる方向においてヘアクリップポケット１０の長さ未満である。
【００１６】
ヘアクリップポケット１０は、例えば図３に描かれるヘアクリップ８０のようなヘアクリップが、選択的にスリット５０を通して隙間１３０の中に挿入可能及び隙間１３０から取り外し可能となるように構成される。ヘアクリップポケット１０は、ヘアクリップ８０が隙間１３０に挿入されるときにヘアクリップ１０の一部がヘアクリップポケット１０によって拘束され、かつ、ヘアクリップ１０の一部がスリット５０を通ってヘアクリップポケット１０の外側に延びるように構成される。例えば、図４Ａに示されるように、ヘアクリップ８０の側部８２が、正面ヘアクリップポケットパネル４０の側部４２によって隙間１３０の中に拘束される。正面ヘアクリップポケットパネル４０の側部４２は、ヘアクリップポケット１０のスリップ５０と両縁との間の部分である。ヘアクリップポケット１０は、例えば図４Ａ〜４Ｃに示されかつ以下で詳述されるように、ヘアクリップ８０の挟み付け部が、スリット５０を通ってヘアクリップポケット１０の外側に延びるように構成される。
【００１７】
ヘアクリップポケット１０は側部縫い目２０及び頂部縫い目３０を含む。これらは、図１Ａ及び１Ｂに示されるように、正面ヘアクリップポケットパネル４０を背面ヘアクリップポケットパネル６０に取り付けるべく使用される。代替的にヘアクリップポケット１０は、図２Ａ及び２Ｂに示されるように、側部縫い目２０及び中央縫い目７０を含む。縫い目の位置は特に限定されない。ヘアクリップポケット１０を形成するべく使用される材料の縁が、縫い目の大部分がヘアクリップポケットの外側から不可視となるように、ヘアクリップポケットの内側に折り畳まれる。これを達成するべく、縫い目は図１及び２に示されるように縫われ、その後ヘアクリップポケットが当該縫い目を隠すように裏返しにされる。
【００１８】
ヘアクリップポケット１０は、一片の縫製材料から形成される。換言すれば、正面ヘアクリップポケットパネル４０及び背面ヘアクリップポケットパネル６０は、縫い目に沿って縫われた一体連続片の折り畳み材料から作られる。例えば、図１Ａ及び１Ｂに示されるように、一片の材料がヘアクリップポケット１０の底部縁１４に沿って折り畳まれ、その一片の材料片の両端が頂部縫い目３０に沿って縫い合わされる。代替的に、図２Ａ及び２Ｂに示されるように、一片の材料は、ヘアクリップポケット１０の頂部縁１２及び底部縁１４の双方に沿って折り畳まれ、その一片の材料の両端が中央縫い目７０に沿って縫い合わされる。中央縫い目７０が使用される場合、スリップ５０は、図２Ａに示されるように、中央縫い目７０の一部を単に縫わないまま残しておくことによって形成される。
【００１９】
代替的に、正面ヘアクリップポケットパネル４０が第１材料片から作られ、かつ、背面ヘアクリップポケットパネル６０が第２材料片から作られる。２つの材料片が各縁に沿って一緒に縫い合わされ、正面ヘアクリップポケットパネル４０と背面ヘアクリップポケットパネル６０との間に隙間１３０が形成される。
【００２０】
ヘアクリップポケット１０は、付け毛、ヘアピース又はかつらのような増毛具に取り付けられる。増毛具は、例えば図７及び８に示されるように、裏地の縫い目１８０に取り付けられた毛髪１５０を含む。増毛具の毛髪１５０は、合成材料から又は天然毛髪から製造される。ヘアクリップポケット１０は、増毛具の裏地の縫い目１８０に縫い付けられるか又は取り付けられる。複数のヘアクリップポケット１０が一つの増毛具に取り付けられる。
【００２１】
図５及び６に示されるように、一つの実施形態においてヘアクリップポケット１０は細長くされる。細長いヘアクリップポケット１０は、図５Ａ及び５Ｂに示される付け毛１４０のような、又は図６Ａ及び６Ｂに示されるヘアピース１７０のような増毛具の裏地の縫い目１８０に取り付けられる。この実施形態において、ヘアクリップポケット１０は、図５Ａ及び６Ａに示されるように、ヘアクリップポケット１０の第２ヘアクリップポケットパネル６０に沿って直列に配列された複数のスリット５０を含む。細長いヘアクリップポケット１０の全体が、上述のように一片の材料又は２片の別個の材料から形成される。図５Ｂ及び６Ｂに示されるように、別個の縫い目１６０が２つ以上のスリット５０同士の間に含まれる。その結果、複数の隙間がヘアクリップポケット内に作られる。別個の縫い目１６０は、隙間内の所定位置にヘアクリップを堅固に保持すべく、スリットが配列される方向に直交する方向に延びる。ヘアクリップポケット１０を増毛具に取り付ける方法は特に限定されない。ヘアクリップポケット１０は例えば、ヘアクリップポケットの頂部縁１２に沿って増毛具の裏地の縫い目１８０に取り付けられる。ヘアクリップポケットは、増毛具に縫い付けられ、接着され、又は取り付けられる。
【００２２】
ヘアクリップポケット１０は、ナイロン布のような薄い伸縮性の布から作られる。
【００２３】
本発明に係るヘアクリップポケットの使用により、いくつかの注目すべき利点が得られる。例えば、ヘアクリップポケットの使用により、ヘアクリップを増毛具に直接縫い付ける必要が回避される。加えて、ヘアクリップポケットの使用により、金属製ヘアクリップよりも軽量かつ快適なプラスチック製ヘアクリップを使用することができる。ヘアクリップポケットが使用される場合、ヘアクリップは、その側部にミシン目又は孔を含む必要がない。ヘアクリップを他の材料片に縫い付ける必要がないからである。これにより、ヘアクリップの重量をさらに低減することができる。ヘアクリップポケットの使用により、増毛具を容易に洗浄及び交換することができる。また、ヘアクリップを壊れた際に容易に交換することができる。
【００２４】
２．ヘアクリップポケットとともに使用可能なヘアクリップ
【００２５】
ヘアクリップポケット１０とともに使用されるヘアクリップのタイプは特に限定されない。ヘアクリップは例えば、典型的な付け毛クリップである。ヘアクリップは、Ｔ字クリップ、又は図３に描かれるＵ字クリップのようなＵ字クリップである。ヘアクリップ８０は、第１挟み付け部１１０及び第２挟み付け部１２０を含む。第１挟み付け部１１０は、図３に示されるような一つの横材である。第１挟み付け部１１０は、横材の上に薄いプラスチック製又はエラストマー製の層のようなパッド層１１２を含む。第２挟み付け部１２０は、複数の分岐尖端９０を含む。例えば、第２挟み付け部１２０は、図３に示されるように、６つの分岐尖端９０を含む。ヘアクリップ８０は、開位置と閉位置との間で選択的に構成可能である。開位置では、個人の毛髪がヘアクリップ８０の挟み付け部１１０及び１２０間に挿入可能であり、閉位置では、個人の毛髪がヘアクリップ８０の挟み付け部１１０及び１２０によって挟み付けられる。
【００２６】
ヘアクリップ８０は、図４Ａ〜４Ｃに示されるように、ヘアクリップ８０の挟み付け部１２０がスリット５０を通ってヘアクリップポケット１０の外側に延びるように構成される。ヘアクリップ８０は、正面ヘアクリップポケットパネル４０の一部が挟み付け部１１０と挟み付け部１２０との間に配置されるように、隙間１３０に挿入可能である。このようにして、ヘアクリップ８０が図４Ｂに示される開位置にあるとき、個人の毛髪が正面ヘアクリップポケットパネル４０と挟み付け部１１０の分岐尖端９０との間に挿入される。ヘアクリップ８０が図４Ｃに示される閉位置にあるとき、個人の毛髪が正面ヘアクリップポケットパネル４０とともに、挟み付け部１１０及び１２０によって挟み付けられる。ヘアクリップ８０は好ましくはプラスチック製である。その結果、典型的な金属製ヘアクリップと比べ、ヘアクリップの重量が低減される。ヘアクリップ８０は好ましくは、ヘアクリップ８０を増毛具に縫い付けるべく典型的に使用されるミシン目又は孔を含まない。その結果、ヘアクリップのサイズ及び重量が低減される。
【００２７】
３．増毛具をヘアクリップポケットに取り付ける方法
【００２８】
一つの実施形態において、増毛具を個人の地毛に取り付ける方法が与えられる。方法は、ヘアクリップ８０のようなヘアクリップを与えることと、付け毛、ヘアピース又はかつらのような増毛具を与えることと、ヘアクリップポケット１０を与えることとを含む。ヘアクリップポケット１０は予め増毛具に取り付けられ、又は別個に与えられてから増毛具に縫い付けられ、接着され又は取り付けられる。ヘアクリップ８０が、ヘアクリップポケット１０の隙間１３０に挿入される。その結果、ヘアクリップの一部がヘアクリップポケット１０によって拘束され、かつ、ヘアクリップ８０の一部がヘアクリップポケット１０のスリット５０を通ってヘアクリップポケットの外側に延びる。その後クリップが開位置にされ、増毛具が個人の頭部上の所望位置に位置決めされる。その後ヘアクリップ８０が閉位置にされる。その結果、個人の毛髪がヘアクリップ８０によって挟み付けられる。このプロセスは、増毛具を個人の地毛に堅固に取り付けるべく、任意の追加的なヘアクリップポケット１０又はスリット５０に対して繰り返される。
【００２９】
４．ヘアクリップポケットを備えた複数の増毛具を含むキット
【００３０】
本発明のもう一つの実施形態において、複数の増毛具を含むキットが与えられる。各増毛具にはヘアクリップポケット１０が取り付けられる。ヘアクリップポケット１０は上述のように構成される。キットは、様々な幅及びサイズの複数の増毛具を含む。
【００３１】
キットにおける増毛具の個別タイプにはそれぞれ、カラーコードが与えられる。例えば、５つの大きな増毛具は「黒」のコードが与えられ、３つのヘアクリップを有する一つの中くらいの増毛具は「黄」のコードが与えられ、２つのヘアクリップを有する一つの中くらいの増毛具は「橙」のコードが与えられ、及び、４つの小さな増毛具は「青」のコードが与えられる。所望のとおり、色が互いに置換されて他の色が使用されてよいことはもちろんである。
【００３２】
「濃厚質感」実施形態と称される一つの実施形態において、キットは５つの「黒」増毛具、一つの「黄」増毛具、一つの「橙」増毛具及び４つの「青」増毛具を含む。「軽い質感」実施形態と称されるもう一つの実施形態において、キットは２つの「黒」増毛具、一つの「橙」増毛具及び２つの「青」増毛具を含む。これらのキットを使用するべく、個々の増毛具が、個人の地毛に対し頭部の自然な曲線に追従して取り付けられる。
【００３３】
例えば、「濃厚質感」実施形態を使用する場合、「橙」増毛具が最初に首筋領域まわりに取り付けられる。次に、「黒」増毛具が右耳領域から開始して取り付けられる。次に、もう一つの「黒」増毛具が左耳上方に取り付けられる。次に、３つの追加的「黒」増毛具が右と左交互に取り付けられて頭頂部まで上方に進められる。その後、「黄」増毛具が、頭部の中央頂部（すなわち「頭頂部」）に取り付けられる。次に、「青」増毛具が、頭頂部の右側に取り付けられる。最後に、もう一つの「青」増毛具が正中線近くの頭頂部右側に取り付けられる。自然な外見を目的として最終片を覆うべく１．２７センチメートル（半インチ）の毛髪が残され、又は極めて小さいヘアピースのような閉じ具が最終片を覆うべく使用される。
【００３４】
「軽い質感」実施形態を使用する場合、「橙」増毛具が最初に首筋領域まわりに取り付けられる。次に、「黒」増毛具が右耳上方に取り付けられる。その後、もう一つの「黒」増毛具が左耳上方に取り付けられる。最後に、２つの「青」増毛具が頭頂部領域下方に、各側部に一つづつ取り付けられる。自然が外見を目的として最終片を覆うべく個人の毛髪を使用してもよい。
【００３５】
増毛具を取り外すべく個人の毛髪が、最初に端から頭皮まで櫛でとかされる。次に、増毛具の取り外しが、首筋領域から開始して頭頂部まで続けられる。ヘアクリップが取り外し後、洗浄を目的として閉じられる。
【００３６】
本書類において、「第１」、「第２」、「頂部」、「底部」、「正面」及び「背面」のような色及び関連用語は、一の要素を他の要素から区別するためにのみ使用され、必ずしも当該要素間の物理的若しくは論理的関係又は順序を必要とし又は示唆するわけではない。
【００３７】
装置及び方法の好ましい実施形態が、それらが開発された環境を参照して説明されたが、それらは発明の原理の単なる例示にすぎない。本発明を実施するための上述の組付体の修正又は組み合わせ、他の実施形態、構成、及び方法、並びに当業者に明らかな本発明の側面のバリエーションは、特許請求の範囲内に存在することが意図される。
【図１Ａ】
2015516520.tif 000003
【図１Ｂ】
2015516520.tif 000004
【図２Ａ】
2015516520.tif 000005
【図２Ｂ】
2015516520.tif 000006
【図３】
2015516520.tif 000007
【図４Ａ】
2015516520.tif 000008
【図４Ｂ】
2015516520.tif 000009
【図４Ｃ】
2015516520.tif 000010
【図５Ａ】
2015516520.tif 000011
【図５Ｂ】
2015516520.tif 000012
【図６Ａ】
2015516520.tif 000013
【図６Ｂ】
2015516520.tif 000014
【図７】
2015516520.tif 000015
【図８】
2015516520.tif 000016
【国際調査報告】
2015516520.tif 000017
2015516520.tif 000018